(57)【要約】【課題】ガスバーナ１１の燃焼部と熱交換器１２とを繋ぐ筒状の燃焼排気通路１３と、ガスバーナ１１の炎孔１１０近傍の温度変化に応じて起電力を増減させる第１熱電対ＴＣ１と、燃焼排気通路１３の側壁１３０に開設された検熱孔１３１の温度変化に応じて起電力を増減させる第２熱電対ＴＣ２と、第１熱電対ＴＣ１と第２熱電対ＴＣ２との起電力差が閾値に達した場合にガスバーナ１１を消火させる不完全燃焼防止手段とを備えたガス湯沸器おいて、不完全燃焼防止機能の安定性を維持すること。【解決手段】第１熱電対ＴＣ１または第２熱電対ＴＣ２の感熱部を清掃する清掃手段１５を備え、清掃手段１５の清掃動作は、器具操作部１６Ａの操作に連動して実行される。【選択図】図１
2008051429.tif 000002
【特許請求の範囲】
【請求項１】
ガスバーナの燃焼部と熱交換器とを繋ぐ筒状の燃焼排気通路と、
ガスバーナの炎孔近傍の温度変化に応じて起電力を増減させる第１熱電対と、
前記燃焼排気通路の側壁に開設された検熱孔の温度変化に応じて起電力を増減させる第２熱電対と、
前記第１熱電対と第２熱電対との起電力差が閾値に達した場合にガスバーナを消火させる不完全燃焼防止手段とを備えたガス湯沸器において、
前記第１熱電対または第２熱電対の感熱部を清掃する清掃手段を備え、
前記清掃手段の清掃動作は、器具操作部の操作に連動して実行される、ガス湯沸器。
【請求項２】
請求項１に記載のガス湯沸器において、
前記清掃手段は、前記感熱部の表面を摺擦する摺擦体と、前記摺擦体の摺擦動作を器具操作部の操作に連動させるリンク機構とを備えており、
前記リンク機構は、器具操作部が操作されていない状態では、前記摺擦体を前記感熱部に接触しない位置で保持する、ガス湯沸器。
【請求項３】
請求項１または２に記載のガス湯沸器において、
器具操作部は、出湯を開始または停止させる際に操作する出湯ボタン、もしくは、出湯温度を調整する温調ダイヤルであることを特徴とする、ガス湯沸器。
【請求項４】
請求項１または２に記載のガス湯沸器において、
器具操作部は、ガスバーナへのガス供給量を調整する能力切替レバーであることを特徴とする、ガス湯沸器。
【発明の詳細な説明】
【技術分野】
【０００１】
本発明は、ガス湯沸器、特に、不完全燃焼の兆候を検知してガスバーナの燃焼を停止させる不完全燃焼防止機能を備えたガス湯沸器に関するものである。
【背景技術】
【０００２】
家庭や飲食店内等の調理場に設置されるガス湯沸器において、熱交換器のフィンが目詰まりした場合や室内の換気が不十分な場合は、その熱交換器とガスバーナとを繋ぐ燃焼排気通路内の酸素濃度が低下し、ガスの不完全燃焼を引き起こす可能性がある。この不完全燃焼を防止するため、燃焼排気通路から漏れ出す燃焼排気やガスバーナの炎のリフト現象を検知し、ガスバーナの燃焼を停止させる機能を備えたものが知られている（例えば、特許文献１参照）。
【０００３】
図９は、上記従来のガス湯沸器９の概略構成図であり、ガスバーナ９１と、熱交換器９２と、ガスバーナ９１の燃焼部ＢＡから熱交換器９２へ延びる矩形筒状の燃焼排気通路９３と、出湯の開始および停止を指示する出湯ボタン９６Ａと、ガス湯沸器９の出湯運転を制御する制御部９８とを備えている。
【０００４】
ガスバーナ９１の炎孔９１０の近傍には、点火プラグＤＰおよび第１熱電対ＴＣ１が配設されている。また、上記ガスバーナ９１へ接続されるガス供給管９１１には、ガス遮断弁９１２が配設されている。
【０００５】
熱交換器９２は、吸熱管９２ａおよび複数のフィン９２ｂを有している。また、吸熱管９２ａの入口側に接続される入水管９２１には、入水遮断弁９２２が配設されており、吸熱管９２ａの出口側に接続される出湯管９２５の下流端には、シャワーヘッド９２０が設けられている。
燃焼排気通路９３の正面壁９３０には、検熱孔９３１が開設されており、この検熱孔９３１の近傍には、第２熱電対ＴＣ２が配設されている。
【０００６】
また、上記第１熱電対ＴＣ１と第２熱電対ＴＣ２とは、それらマイナス極相互が繋がれた状態、即ち、直列逆接続の状態で制御部９８に接続されている。
制御部９８には、上記ガス遮断弁９１２や入水遮断弁９２２等が電気的に接続されており、出湯ボタン９６Ａを一回押す毎に出湯の開始と停止とを切り替える出湯動作や、第１熱電対ＴＣ１と第２熱電対ＴＣ２との起電力差に応じてガスバーナ９１の燃焼を停止させる不完全燃焼防止動作等、出湯運転全体の制御プログラムを実行するマイクロコンピュータが組み込まれている。
【０００７】
このものでは、出湯ボタン９６Ａを押すと、制御部９８は、入水遮断弁９２２を開放させて、熱交換器９２への通水を開始する。そして、点火プラグＤＰから火花放電を開始させるとともに、ガス遮断弁９１２を開放させ、ガスバーナ９１を点火する。これにより、シャワーヘッド９２０から出湯が開始される。
【０００８】
しかしこのとき、熱交換器９２のフィン９２ｂが変形や埃によって目詰まりを生じた場合は、ガスバーナ９１の燃焼排気は、燃焼排気通路９３の熱交換器９２側から排出され難くなるため、その正面壁９３０に開設された検熱孔９３１から漏れ出す。その結果、検熱孔９３１へ臨む第２熱電対ＴＣ２の感熱部Ｑ２の表面温度が上昇し、起電力Ｖ２を増加させる。
【０００９】
一方、室内の換気が不十分で燃焼排気通路９３内の酸素濃度が低下した場合は、ガスバーナ９１の炎がその炎孔９１０から離反するリフト現象を起こし始める。その結果、炎孔９１０へ臨む第１熱電対ＴＣ１の感熱部Ｑ１の表面温度が低下し、起電力Ｖ１を減少させる。
【００１０】
制御部９８は、この第２熱電対ＴＣ２で発生した起電力Ｖ２を第１熱電対ＴＣ１で発生した起電力Ｖ１から差し引いた起電力差Ｖｔと、予め設定された閾値Ｖｓとを常時比較監視しており、第２熱電対ＴＣ２の起電力Ｖ２が増加、もしくは、第１熱電対ＴＣ１の起電力Ｖ１が減少したことで、上記起電力差Ｖｔが閾値Ｖｓより小さくなると、ガス遮断弁９１２を閉塞し、ガスバーナ９１を消火させる。
これにより、不完全燃焼を引き起こす前に、ガスバーナ９１を消火させて安全状態が確保される。
【特許文献１】特開平８−３５６５０号公報（第１〜１４頁）
【発明の開示】
【発明が解決しようとする課題】
【００１１】
しかしながら、上記湯沸器９では、上記第２熱電対ＴＣ２の感熱部Ｑ２や第１熱電対ＴＣ１の感熱部Ｑ１の表面に煤や埃が付着して堆積した場合は、その付着物が温度検知の妨げとなって、第２熱電対ＴＣ２や第１熱電対ＴＣ１の感度を低下させる。その結果、上述の不完全燃焼防止機能の動作が不安定になるおそれがあった。
【００１２】
本発明は係る点に鑑みてなされたもので、
『ガスバーナの燃焼部と熱交換器とを繋ぐ筒状の燃焼排気通路と、
ガスバーナの炎孔近傍の温度変化に応じて起電力を増減させる第１熱電対と、
前記燃焼排気通路の側壁に開設された検熱孔の温度変化に応じて起電力を増減させる第２熱電対と、
前記第１熱電対と第２熱電対との起電力差が閾値に達した場合にガスバーナを消火させる不完全燃焼防止手段とを備えたガス湯沸器』において、不完全燃焼防止機能の安定性を維持することを課題とする。
【課題を解決するための手段】
【００１３】
上記課題を解決するための本発明の技術的手段は、
『前記第１熱電対または第２熱電対の感熱部を清掃する清掃手段を備え、
前記清掃手段の清掃動作は、器具操作部の操作に連動して実行される』ことである。
上記技術手段によれば、器具操作部を操作する度に、第１熱電対または第２熱電対の感熱部に付着した煤や埃等が清掃手段によって自動的に除去されるから、第１熱電対または第２熱電対の感度を低下させない。
【００１４】
請求項２に係る発明の技術的手段は、
前記請求項１において、
『前記清掃手段は、前記感熱部の表面を摺擦する摺擦体と、前記摺擦体の摺擦動作を器具操作部の操作に連動させるリンク機構とを備えており、
前記リンク機構は、器具操作部が操作されていない状態では、前記摺擦体を前記感熱部に接触しない位置で保持する』ことである。
このものでは、清掃手段は、器具操作部が操作されていない場合は、その摺擦体が上記感熱部に接触しない位置で保持されるから、摺擦体自体が上記感熱部の温度検知の妨げになるおそれがない。
【００１５】
請求項３に係る発明の技術的手段は、
前記請求項１または２において、
『器具操作部は、出湯を開始または停止させる際に操作する出湯ボタン、もしくは、出湯温度を調整する温調ダイヤルであることを特徴とする』ものである。
このものでは、出湯を開始または停止させる際に操作する出湯ボタンもしくは出湯温度を調整する温調ダイヤルを操作する度、即ち、ガス湯沸器を使用する頻度で、上記感熱部の表面の煤や埃等の付着物が除去される。
【００１６】
請求項４に係る発明の技術的手段は、
前記請求項１または２において、
『器具操作部は、ガスバーナへのガス供給量を調整する能力切替レバーであることを特徴とする』ものである。
このものでは、ガスバーナへのガス供給量を調整する能力切替レバーを操作する度、即ち、例えば夏季から冬季、冬季から夏季のように、熱交換器への入水温度に応じてガスバーナの燃焼量を切り替える頻度で、上記感熱部の表面の煤や埃等の付着物が除去される。
【発明の効果】
【００１７】
本発明は、上記構成であるから次の特有の効果を有する。
器具操作部を操作する度に、感熱部表面の付着物を自動的に除去させることで、第１熱電対または第２熱電対の感度を低下させないから、不完全燃焼防止機能の安定性を維持できる。
請求項２に係る発明では、摺擦体自体が上記感熱部の温度検知の妨げにならないから、安定した不完全燃焼防止動作を発揮できる。
【００１８】
請求項３に係る発明では、ガス湯沸器を使用する頻度で上記感熱部の清掃動作が実行されるから、上記感熱部の表面に付着物が堆積し難い。従って、不完全燃焼防止機能の安定性が向上する。
請求項４に係る発明では、熱交換器への入水温度に応じてガスバーナの燃焼量を切り替える頻度で上記感熱部の清掃動作が実行されるから、摺擦体の過度の消耗を抑制できる。
【発明を実施するための最良の形態】
【００１９】
次に、上記した本発明を実施するための最良の形態について、添付図面を参照しながら詳述する。
図１は、本発明の実施の形態に係るガス湯沸器１の概略構成図であり、図２は、後述する第２熱電対ＴＣ２近傍の縦断面概略図である。また、図３は、後述する清掃機構部１５周辺の概略構成図である。以下、各部の詳細を説明する。
【００２０】
ガス湯沸器１は、ガスと空気の混合ガスを燃焼させて燃焼排気を生成するガスバーナ１１と、後述する入水管１２１から供給された水へ燃焼排気中の顕熱を回収させる熱交換器１２と、ガスバーナ１１の燃焼部ＢＡから熱交換器１２へ延びる燃焼排気通路１３と、シャワーヘッド１２０からの出湯の開始および停止を指示する出湯ボタン１６Ａと、その出湯温度を調整する温調ダイヤル１６Ｂと、ガスバーナ１１へのガス供給量を調整する能力切替レバー１７と、ガス湯沸器１の出湯運転を制御する制御部１８とを備えている。
【００２１】
ガスバーナ１１は、ガス配管（図示しない）へ繋がるガス供給管１１１に接続されており、そのガス供給管１１１には、ガス遮断弁１１２と、後述するダイヤフラム機構１２３によって開閉される水圧応動弁１１３と、ガスバーナ１１へ供給するガスの流量を調整するガス量調整弁１１４とが配設されている。
【００２２】
上記ガスバーナ１１の炎孔１１０の近傍には、イグナイタＩＧから高電圧を印加されることによって火花放電する点火プラグＤＰと、感熱部Ｑ１の表面温度に応じて起電力Ｖ１を増減させる第１熱電対ＴＣ１とが配設されている。
第１熱電対ＴＣ１は、その先端の感熱部Ｑ１が上記炎孔１１０へ臨む位置に配設されている。従って、炎孔１１０から放出される炎の熱を受けて起電力Ｖ１を増加させる。
【００２３】
また、上記ガス遮断弁１１２、イグナイタＩＧおよび第１熱電対ＴＣ１は、制御部１８へ電気的に接続されている。
熱交換器１２は、蛇行線状に形成された吸熱管１２ａと、その吸熱管１２ａに対して交差するように並ぶ複数のフィン１２ｂを有しており、吸熱管１２ａの入口側は、給水配管（図示しない）から供給される水の通路となる入水管１２１に接続され、吸熱管１２ａの出口側は、シャワーヘッド１２０へ供給する湯の通路となる出湯管１２５に接続されている。
【００２４】
上記入水管１２１には、入水遮断弁１２２と、入水管１２１内の通水開始時の水圧変化に応じて上記水圧応動弁１１３を開放させるダイヤフラム機構１２３と、後述するバイパス管１２６側へ供給する水の流量を調整する混合弁１２４とが配設されており、これら入水遮断弁１２２、ダイヤフラム機構１２３および混合弁１２４は、制御部１８へ電気的に接続されている。
【００２５】
上記入水管１２１と出湯管１２５とは、入水管１２１へ供給された水を出湯管１２５側へ分流させるバイパス管１２６で繋がっており、その入水管１２１とバイパス管１２６との分岐点に上記混合弁１２４が設けられている。
尚、図示しないが、上記ダイヤフラム機構１２３は、入水管１２１内の水圧に応じて中心部を往復移動させるダイヤフラムと、その中心部と上記水圧応動弁１１３とを繋ぐプッシュロッドとを備えており、上記ダイヤフラムが入水管１２１内の通水時の水圧を受けることによって、プッシュロッドをその軸線方向へ摺動させ、水圧応動弁１１３を開放させるように構成されている。
【００２６】
燃焼排気通路１３は、上下に開放する矩形筒状体であり、その上端の排気側に上記熱交換器１２が収容され、下端の吸気側に上記ガスバーナ１１が配設されている。また、燃焼排気通路１３の正面壁１３０には、その内外の空間相互を繋ぐ矩形状の検熱孔１３１が形成されている。
【００２７】
上記燃焼排気通路１３の外周には、上記入水管１２１がその周面に沿って複数回巻きつけられた態様で配管されており、その巻きつけ部１２１ａの上記正面壁１３０側の位置には、後述する第２熱電対ＴＣ２を固定する固定板１４が取り付けられている。
上記固定板１４には、正面壁１３０に設けられた検熱孔１３１と重なり合う矩形状の開口１４１が形成されており、その開口１４１の側方には、感熱部Ｑ２の表面温度に応じて起電力Ｖ２を増減させる第２熱電対ＴＣ２が取り付けられている。
【００２８】
第２熱電対ＴＣ２は、その先端の感熱部Ｑ２が上記開口１４１へ臨む位置に配設されている。従って、燃焼排気通路１３０内の燃焼排気が検熱孔１３１から漏洩した場合に、その燃焼排気の熱を受けて起電力Ｖ２を増加させる。
また、上記第１熱電対ＴＣ１と第２熱電対ＴＣ２とは、それらマイナス極相互を繋いだ状態、所謂、直列逆接続の状態で制御部１８へ電気的に接続されている。
【００２９】
さらに、燃焼排気通路１３の正面側には、第２熱電対ＴＣ２の感熱部Ｑ２表面の煤や埃等の付着物を除去する清掃機構部１５が設けられている。
清掃機構部１５は、第２熱電対ＴＣ２の感熱部Ｑ２表面を摺擦するブラシ部Ｗを有する摺擦アーム１５１と、出湯ボタン１６Ａのオンオフ操作に応じて摺擦アーム１５１を揺動させるリンク部１５２とを備えている。
【００３０】
摺擦アーム１５１は、上記巻きつけ部１２１ａに固定されたアーム支持部１５０に対して軸線方向へ摺動可能な状態でその中間部を軸支されており、この摺擦アーム１５１の左端側（以下、「従動側」という）に上記ブラシ部Ｗが設けられ、右端側（以下、「原動側」という）に上記リンク部１５２が連結されている。
【００３１】
即ち、上記摺擦アーム１５１は、その原動側が最下位置まで引き下げられた状態においては、従動側のブラシ部Ｗが感熱部Ｑ２に接触しない上方位置へ離反した姿勢、原動側が最上位置まで押し上げられた状態においては、従動側のブラシ部Ｗが感熱部Ｑ２に接触しない下方位置へ離反した姿勢になるように設定されている（図２参照）。
【００３２】
上記ブラシ部Ｗは、図２に示すように、摺擦アーム１５１の裏面から上記開口１４１の近傍まで延びており、摺擦アーム１５１が燃焼排気通路１３の正面壁１３０に対して水平に揺動する際に上記感熱部Ｑ２と接触する。尚、ブラシ部Ｗは、耐熱性および耐磨耗性の高い素材（例えば、ステンレス線やアラミド繊維）で形成されている。
【００３３】
リンク部１５２は、図３（ａ）および（ｂ）に示すように、摺擦アーム１５１の原動側を上記正面壁１３０に対して水平に揺動させるプッシュロッド１５２ａと、出湯ボタン１６Ａの前後方向への往復運動をプッシュロッド１５２ａの上下方向への往復運動に変向するクランクアーム１５２ｂとを備えている。
【００３４】
上記プッシュロッド１５２ａは、その一端側が摺擦アーム１５１の原動側に連結され、他端側がクランクアーム１５２ｂの一端側に連結されている。また、プッシュロッド１５２ａは、その軸線方向（燃焼排気通路１３の上下方向）に摺動可能な状態で保持されている。
【００３５】
上記クランクアーム１５２ｂは、その一端側がプッシュロッド１５２ａに連結され、他端側が出湯ボタン１６Ａに連結されている。
尚、上記「清掃機構部１５」が、既述請求項１の発明特定事項としての「清掃手段」に対応する。また、上記「摺擦アーム１５１」が、既述請求項２の発明特定事項としての「摺擦体」に対応し、上記「リンク部１５２」が、既述請求項２の発明特定事項としての「リンク機構」に対応する。
【００３６】
出湯ボタン１６Ａおよび温調ダイヤル１６Ｂは、図１に示すように、それぞれ制御部１８へ電気的に接続されており、それら出湯ボタン１６Ａおよび温調ダイヤル１６Ｂの操作に応じて、後述する出湯動作や温調動作が実行される。
【００３７】
また、上記出湯ボタン１６Ａは、図３（ａ）に示すように、圧縮バネ１６２によってその裏面側から軸線方向へ押圧されており、この出湯ボタン１６Ａ裏面の凸部１６１に上記クランクアーム１５２ｂが連結されている。
【００３８】
従って、出湯ボタン１６Ａを一回押すと、クランクアーム１５２ｂがプッシュロッド１５２ａをその上下方向へ一往復させ、摺擦アーム１５１を一回揺動させる。即ち、出湯ボタン１６Ａを一回押す毎に、摺擦アーム１５１の従動側のブラシ部Ｗが上記感熱部Ｑ２の上方位置と下方位置との間を一往復するように構成されている。
尚、上記「出湯ボタン１６Ａ」が、既述請求項１の発明特定事項としての「器具操作部」に対応する。
【００３９】
能力切替レバー１７は、ガス量調整弁１１４に連結されており、その能力切替レバー１７を一方側へ回動させればガス量調整弁１１４が絞られて、ガスバーナ１１へ供給するガスの流量が減少する。
【００４０】
制御部１８は、出湯ボタン１６Ａを一回押す毎にシャワーヘッド１２０からの出湯の開始と停止とを切り替える出湯動作や、温調ダイヤル１６Ｂを回動させた位置に応じて混合弁１２４の開度を調整する温調動作、第１熱電対ＴＣ１と第２熱電対ＴＣ２との起電力差が閾値より小さくなった場合にガスバーナ１１の燃焼を停止させる不完全燃焼防止動作等、出湯運転全体の制御プログラムを実行するマイクロコンピュータが組み込まれている。
尚、上記制御部１８における「第１熱電対ＴＣ１と第２熱電対ＴＣ２との起電力差が閾値より小さくなった場合にガスバーナ１１の燃焼を停止させる」機能部が、既述請求項１の発明特定事項としての「不完全燃焼防止手段」に対応する。
【００４１】
［出湯動作］
具体的には、ガスバーナ１１が消火されている状態において、出湯ボタン１６Ａを押すと、制御部１８の出湯動作制御プログラムによって、入水遮断弁１２２を開放し、給水配管（図示しない）から入水管１２１を介して熱交換器１２へ水の供給を開始させる。このとき、入水管１２１内の通水状態での水圧を受けたダイヤフラム機構１２３は、その内部のダイヤフラム（図示しない）によって水圧応動弁１１３を開方向へ作動させる。
【００４２】
そして、上記ダイヤフラム機構１２３の作動を検知した制御部１８は、イグナイタＩＧから点火プラグＤＰへ高電圧を印加して火花放電を開始させた後、ガス遮断弁１１２を開放し、ガス配管（図示しない）からガス供給管１１１を介してガスバーナ１１へガスの供給を開始させる。その結果、ガスバーナ１１が点火され、燃焼を開始する。
これにより、入水管１２１から熱交換器１２へ供給された水は、その吸熱管１２ａ内でガスバーナ１１の燃焼排気によって加熱され、バイパス管１２６から供給される水と混合された後、出湯管１２５を介してシャワーヘッド１２０から出湯される。
【００４３】
そして、再度（ガスバーナ１１が燃焼している状態において）出湯ボタン１６Ａを押すと、制御部１８の出湯動作制御プログラムによってガス遮断弁１１２および入水遮断弁１２２が閉塞され、ガスバーナ１１へのガスの供給および熱交換器１２への水の供給が共に遮断される。
これにより、ガスバーナ１１が消火されると同時に、シャワーヘッド１２０からの出湯が停止される。
【００４４】
［温調動作］
一方、ガスバーナ１１が燃焼している状態において、温調ダイヤル１６Ｂを右側に設定された高温出湯位置まで回動させた場合は、混合弁１２４が最小開度まで閉塞され、入水管１２１からバイパス管１２６を介して出湯管１２５側へ合流する水量が減少される。これにより、シャワーヘッド１２０からは高温の湯が放出される。
【００４５】
そして、温調ダイヤル１６Ｂを右側の高温出湯位置から左側の出水位置まで段階的に回動させる過程においては、混合弁１２４がその温調ダイヤル１６Ｂで設定された湯温に対応した開度へ段階的に開放される。これにより、シャワーヘッド１２０からは温調ダイヤル１６Ｂで設定された温度に混合された湯が放出される。
【００４６】
さらに、温調ダイヤル１６Ｂを左側に設定された出水位置まで回動させた場合は、混合弁１２４が最大開度まで開放されるとともにガス遮断弁１１２が閉塞される。これにより、ガスバーナ１１が消火され、シャワーヘッド１２０からは水が放出される。
【００４７】
その後、温調ダイヤル１６Ｂを右側の出湯位置まで戻した場合は、再びガス遮断弁１１２が開放されてガスバーナ１１が点火されるとともに、混合弁１２４がその設定された湯温に対応した開度まで開放される。これにより、シャワーヘッド１２０からは、再び設定温度に混合された湯が放出される。
【００４８】
［不完全燃焼防止動作］
一方、ガスバーナ１１が燃焼している状態において、熱交換器１２のフィン１２ｂが変形や埃によって目詰まりを生じた場合は、ガスバーナ１１から放出される燃焼排気が燃焼排気通路１３上端の排気側の開放部から充分に排出されなくなるため、燃焼排気通路１３内の酸素濃度を低下させ、不完全燃焼を引き起こす可能性があるが、この場合、ガスバーナ１１から放出される高温の燃焼排気は、燃焼排気通路１３の正面壁１３０に開設された検熱孔１３１から漏れ出す。
【００４９】
その結果、第２熱電対ＴＣ２の感熱部Ｑ２は、高温の燃焼排気に曝され、その表面温度を上昇させる。これにより、第２熱電対ＴＣ２の起電力Ｖ２が増加し、第１熱電対ＴＣ１で発生した起電力Ｖ１から第２熱電対ＴＣ２で発生した起電力Ｖ２を差し引いた起電力差Ｖｔが小さくなる。
【００５０】
また、室内の換気が不十分で燃焼排気通路１３内の酸素濃度が低下した場合は、ガスバーナ１１の炎が炎孔１１０から離反するリフト現象を起こし始める。
その結果、第１熱電対ＴＣ１の感熱部Ｑ１は、上記炎の高温部から離れ、その表面温度を低下させる。これにより、第１熱電対ＴＣ１の起電力Ｖ１が減少し、この場合も、上記起電力差Ｖｔが小さくなる。
【００５１】
制御部１８は、不完全燃焼防止動作制御プログラムによって、上記起電力差Ｖｔと、予め設定された閾値Ｖｓとを常時比較監視しており、上記第２熱電対ＴＣ２の起電力Ｖ２が増加、もしくは、上記第１熱電対ＴＣ１の起電力Ｖ１が減少したことで、起電力差Ｖｔが予め設定された閾値より小さくなると、上述したガスバーナ１１の消火動作を実行させる。従って、不完全燃焼の状態で継続的に使用されるのを防止できる。
【００５２】
［自動掃除動作］
また、給湯操作部１６の出湯ボタン１６Ａを一回押す毎に、摺擦アーム１５１の従動側のブラシ部Ｗが第２熱電対ＴＣ２の感熱部Ｑ２の上方位置と下方位置との間を一往復するように構成されているから、上述のように、シャワーヘッド１２０から出湯の開始や停止をさせれば、その度に上記感熱部Ｑ２表面の煤や埃等の付着物が自動的に除去される。
【００５３】
具体的には、出湯ボタン１６Ａが押し込まれた場合は、クランクアーム１５２ｂによってプッシュロッド１５２ａがその上方へ押し上げられ、このプッシュロッド１５２ａによって摺擦アーム１５１の原動側が最上位置まで押し上げられる。このと、摺擦アーム１５１は、アーム支持部１５０を略中心に反時計回りに回動し、その従動側が下方へ振り下げられるから、第２熱電対ＴＣ２の感熱部Ｑ２は、従動側に設けられたブラシ部Ｗによって摺擦される。
【００５４】
そして、出湯ボタン１６Ａから手を放すと、出湯ボタン１６Ａがバネ１６２の反発力によってその押し込まれた方向と反対の方向へ摺動するとともに、クランクアーム１５２ｂによってプッシュロッド１５２ａがその下方へ引き戻され、このプッシュロッド１５２ａによって摺擦アーム１５１の原動側が最下位置まで引き下げられる。このとき、摺擦アーム１５１は、アーム支持部１５０を略中心に時計回りに回動し、その従動側が上方へ振り上げられるから、上記感熱部Ｑ２は、再度、上記ブラシ部Ｗによって摺擦される。
【００５５】
このように、出湯ボタン１６Ａのオンオフ操作をする度に、自動的に第２熱電対ＴＣ２の感熱部Ｑ２表面の付着物がブラシ部Ｗによって掃き落とされて、常に清潔な状態に維持されるから、第２熱電対ＴＣ２の感度を低下させない。従って、不完全燃焼防止機能の安定性を維持できる。
即ち、熱交換器１２のフィン１２ｂに目詰まりが発生した場合は、その兆候を正確に認識し、速やかに安全状態を確保できる。
【００５６】
また、上記摺擦アーム１５１は、給湯操作部１６の出湯ボタン１６Ａを一回押す毎にその従動側のブラシ部Ｗが感熱部Ｑ２に接触しない上方位置と下方位置との間を一往復する、即ち、出湯ボタン１６Ａを押して手を離した後は、ブラシ部Ｗが第２熱電対ＴＣ２の感熱部Ｑ２に接触しない位置で保持されるように設定されているから、摺擦アーム１５１自体が上記感熱部Ｑ２の温度検知の妨げになるおそれがない。従って、安定した不完全燃焼防止動作を発揮できる。
【００５７】
［その他］
尚、上記実施の形態において、清掃機構部１５は、出湯ボタン１６Ａを押す操作に応じて摺擦アーム１５１を揺動させるものであるが、図４に示す清掃機構部２５のように、温調ダイヤル１６Ｂの回動操作に応じて摺擦アーム２５１を揺動させるものであっても良い。
【００５８】
このものでは、清掃機構部２５は、第２熱電対ＴＣ２の感熱部Ｑ２を摺擦するブラシ部Ｗを有する摺擦アーム２５１と、温調ダイヤル１６Ｂを回動させる操作に応じて摺擦アーム２５１を揺動させるリンク部２５２とを備えている。
【００５９】
上記摺擦アーム２５１は、上記実施の形態と同様、アーム支持部２５０に対して軸線方向へ摺動可能な状態で軸支されており、その原動側が最下位置まで引き下げられた状態においては、従動側を第２熱電対ＴＣ２より上方へ持ち上げた姿勢、原動側が最上位置まで押し上げられた状態においては、従動側を第２熱電対ＴＣ２より下方へ下げた姿勢になるように設定されている。
【００６０】
また、上記摺擦アーム２５１の従動側にブラシ部Ｗが設けられ、原動側に上記リンク部２５２が連結されている。
上記リンク部２５２は、摺擦アーム２５１の原動側を正面壁１３０に対して水平に揺動させるプッシュロッド２５２ａと、温調ダイヤル１６Ｂの回転運動をプッシュロッド２５２ａの上下方向への往復運動に変向する回転板２５２ｂとを備えており、上記プッシュロッド２５２ａは、その一端側が摺擦アーム２５１の原動側に連結され、他端側が回転板２５２ｂの上辺に当接されている。
【００６１】
さらに、上記プッシュロッド２５２ａは、その軸線方向（燃焼排気通路１３の上下方向）に摺動可能な状態で保持されているとともに、圧縮バネＣ２によって下向きに押圧されている。
【００６２】
上記回転板２５２ｂは、燃焼排気通路１３の正面壁１３０に対して水平に回動可能な温調ダイヤル１６Ｂの裏面に固定されている。また、回転板２５２ｂの周縁の一部は、波形状に形成されており、その波形面Ｌ１にプッシュロッド２５２ａの下端Ｐ１が当接されている。
【００６３】
上記波形面Ｌ１の谷部Ｐ２は、予め複数段階で設定された出湯温に対応する位置に形成されている。即ち、温調ダイヤル１６Ｂを回動させて設定出湯温を一つ切り替える毎に、摺擦アーム２５１の従動側のブラシ部Ｗが上記感熱部Ｑ２の上方位置と下方位置との間を一往復するように構成されている。
尚、上記「温調ダイヤル１６Ｂ」が、既述請求項１の発明特定事項としての「器具操作部」に対応し、上記「清掃機構部２５」が、既述請求項１の発明特定事項としての「清掃手段」に対応する。また、上記「摺擦アーム２５１」が、既述請求項２の発明特定事項としての「摺擦体」に対応し、上記「リンク部２５２」が、既述請求項２の発明特定事項としての「リンク機構」に対応する。
【００６４】
従って、このものでは、給湯操作部１６の温調ダイヤル１６Ｂの回動操作をする度に、摺擦アーム２５１の従動側のブラシ部Ｗが上記感熱部Ｑ２の上方位置と下方位置との間で往復し、第２熱電対ＴＣ２の感熱部Ｑ２表面の付着物を自動的に掃き落とすから、上記実施の形態と同様、不完全燃焼防止機能の安定性を維持できる。
【００６５】
さらに、上記摺擦アーム２５１は、給湯操作部の温調ダイヤル１６Ｂを一設定分回動操作する毎にその従動側のブラシ部Ｗが感熱部Ｑ２に接触しない上方位置と下方位置との間を一往復する、即ち、温調ダイヤル１６Ｂを一設定分回動し終えた後は、ブラシ部Ｗが第２熱電対ＴＣ２の感熱部Ｑ２に接触しない位置で保持されるように設定されているから、上記実施の形態と同様、摺擦アーム２５１自体が上記感熱部Ｑ２の温度検知の妨げになるおそれがなく、安定した不完全燃焼防止動作を発揮できる。
【００６６】
また、上記実施の形態において、給湯操作部１６は、出湯の開始および停止を指示する出湯ボタン１６Ａと、出湯温を調整する温調ダイヤル１６Ｂとは、それぞれ独立的に構成されたものを説明したが、上記出湯ボタン１６Ａと温調ダイヤル１６Ｂとが一体的に構成されたものであっても良い。即ち、その出湯ボタン１６Ａの機能と温調ダイヤル１６Ｂの機能とを兼備した操作ボタンを押すことで出湯の開始および停止を指示し、回動させることによって出湯温を調整することができる。
【００６７】
一方、図５に示す清掃機構部３５のように、能力切替レバー１７の回動操作に応じて摺擦アーム３５１を揺動させるものであっても良い。
このものでは、清掃機構部３５は、第２熱電対ＴＣ２の感熱部Ｑ２を摺擦するブラシ部Ｗを有する摺擦アーム３５１と、能力切替レバー１７を回動させる操作に応じて摺擦アーム３５１を揺動させるリンク部３５２とを備えている。
【００６８】
上記摺擦アーム３５１は、上記実施の形態と同様、アーム支持部３５０に対して軸線方向へ揺動可能な状態で軸支されており、その原動側が最下位置まで引き下げられた状態においては、従動側を第２熱電対ＴＣ２より上方へ持ち上げた姿勢、原動側が最上位置まで引き上げられた状態においては、従動側を第２熱電対ＴＣ２より下方へ下げた姿勢になるように設定されている。
【００６９】
また、上記摺擦アーム３５１の従動側にブラシ部Ｗが設けられ、原動側に上記リンク部３５２が連結されている。
上記リンク部３５２は、摺擦アーム３５１の原動側を正面壁１３０に対して水平に揺動させるワイヤ３５２ａと、能力切替レバー１７の回転操作に応じて後述するカム３５２ｃを揺動させる回転板３５２ｂと、能力切替レバー１７の回転運動をワイヤ３５２ｂの往復運動に変向させるカム３５２ｃとを備えており、上記ワイヤ３５２ａは、その一端側が摺擦アーム３５１の原動側に連結され、他端側がカム３５２ｃの揺動部Ｐ３に連結されている。
【００７０】
また、上記ワイヤ３５２ａは、摺擦アーム３５１の原動側およびカム３５２ｃの揺動部Ｐ３に取り付けられた引張バネＣ３，Ｃ３によって両端方向へ引張られている。
上記回転板３５２ｂは、燃焼排気通路１３の正面壁１３０に対して水平に回動可能な能力切替レバー１７の裏面に固定されている。また、回転板３５２ｂの周縁の一部には、波状凸部Ｌ２が形成されており、その波状凸部Ｌ２にカム３５２ｃの揺動部Ｐ３が当接されている。即ち、回転板３５２ｂが回動すると、カム３５２ｃの揺動部Ｐ３が上記波状凸部Ｌ２によって複数回揺動される。
【００７１】
尚、上記「能力切替レバー１７」が、既述請求項１の発明特定事項としての「器具操作部」に対応し、上記「清掃機構部３５」が、既述請求項１の発明特定事項としての「清掃手段」に対応する。また、上記「摺擦アーム３５１」が、既述請求項２の発明特定事項としての「摺擦体」に対応し、上記「リンク部３５２」が、既述請求項２の発明特定事項としての「リンク機構」に対応する。
【００７２】
従って、このものでは、能力切替レバー１７を回動させることによって、カム３５２ｃの揺動部Ｐ３が上記回転板３５２ｂの波状凸部Ｌ２によって揺動され、ワイヤ３２５ａを複数回引張る。
【００７３】
このとき、摺擦アーム３５１は、その原動側を複数回ワイヤ３２５ａに引っ張られて、従動側のブラシ部Ｗを上記感熱部Ｑ２の上方位置と下方位置との間で複数回往復し、第２熱電対ＴＣ２の感熱部Ｑ２表面の付着物を自動的に掃き落とすから、上記実施の形態と同様、不完全燃焼防止機能の安定性を維持できる。
【００７４】
さらに、上記摺擦アーム３５１は、能力切替レバー１７を一方側へ回動操作する毎にその従動側のブラシ部Ｗが感熱部Ｑ２に接触しない上方位置と下方位置との間を複数回往復する、即ち、能力切替レバー１７を一方側へ回動し終えた後は、ブラシ部Ｗが第２熱電対ＴＣ２の感熱部Ｑ２に接触しない位置で保持されるように設定されているから、上記実施の形態と同様、摺擦アーム３５１自体が上記感熱部Ｑ２の温度検知の妨げになるおそれがなく、安定した不完全燃焼防止動作を発揮できる。
尚、能力切替レバー１７は、主として、夏場と冬場でガスバーナ１１の燃焼量の設定を切り替える際に使用されるものである。即ち、上記清掃機構部３５を備えたガス湯沸器においては、年に２回程度の間隔で、第２熱電対ＴＣ２の感熱部Ｑ２が掃除されることになる。このため、ブラシ部Ｗの早期の磨耗や変形を抑制できる。
【００７５】
一方、図６に示す清掃機構部４５のように、摺擦アーム４５１を電気的に摺動させるものであっても良い。
このものでは、摺擦アーム４５１は、正面壁１３０に対して水平に摺動可能な状態で第２熱電対ＴＣ２の側方に取り付けられており、その一端側にブラシ部Ｗを備え、他端側には、その摺擦アーム４５１を左右方向へ摺動させるリンク部４５２に連結されている。
【００７６】
リンク部４５２は、摺擦アーム４５１の一端側を正面壁１３０に対して水平に摺動させるプッシュロッド４５２ａと、出湯ボタン１６Ａのオンオフ操作（もしくは温調ダイヤル１６Ｂの回動操作、もしくは能力切替レバー１７の回動操作）に応じて後述する回転ヘッド４５２ｃを回転させるモータ４５２ｂと、モータ４５２ｂの回転運動をプッシュロッド４５２ａの往復運動に変向させる回転ヘッド４５２ｃとを備えており、上記回転ヘッド４５２ｃは、その周縁部にプッシュロッド４５２ａの一端側が連結され、中心部にモータ４５２ｂの軸部が連結されている。
【００７７】
また、上記モータ４５２ｂは、制御部１８と電気的に接続されており、出湯ボタン１６Ａが押される度（もしくは温調ダイヤル１６Ｂが回動される度、もしくは能力切替レバー１７が回動される度）に予め設定された回数だけ回転し、摺擦アーム４５１のブラシ部Ｗが感熱部Ｑ２に接触しない位置で停止するように設定されている。
尚、上記「摺擦アーム４５１」が、既述請求項２の発明特定事項としての「摺擦体」に対応し、上記「リンク部４５２」構成部が、既述請求項２の発明特定事項としての「リンク機構」に対応する。
【００７８】
従って、このものでは、出湯ボタン１６Ａを押す度（もしくは温調ダイヤル１６Ｂが回動される度、もしくは能力切替レバー１７が回動される度）に、摺擦アーム４５１の従動側が感熱部Ｑ２に接触する左側位置と感熱部Ｑ２に接触しない右側位置との間を複数回往復させるから、上記実施の形態と同様の効果を発揮する。
【００７９】
一方、図７に示す清掃機構部５５のように、出湯ボタン１６Ａを押す度（もしくは温調ダイヤル１６Ｂが回動される度、もしくは能力切替レバー１７が回動される度）に、コンプレッサ５５０から送り込まれた圧縮空気をノズル５５１から第２熱電対ＴＣ２の感熱部Ｑ２へ向けて噴出させ、その感熱部Ｑ２の表面に付着した煤や埃を吹き飛ばすものであっても良い。
このものでは、感熱部Ｑ２の表面の付着物を非接触状態で除去できるから、感熱部Ｑ２の表面に摺擦傷をつけるおそれがない。
【００８０】
また、上記実施の形態において、摺擦アーム１５１は、第２熱電対ＴＣ２の感熱部Ｑ２の正面側を上下方向に摺擦するように構成されているが、感熱部Ｑ２の背面側（検熱孔１３１側）を摺擦するように構成しても良いし、図８（ａ）に示すように、摺擦アーム１５１Ａを感熱部Ｑ２の前後方向に揺動させて、その正面側および背面側を摺擦するものであっても良い。また、図８（ｂ）に示すように、摺擦アーム１５１Ｂを感熱部Ｑ２の左右方向に摺動させて、その正面側および背面側を挟みつけるようにして摺擦するものであっても良い。
【００８１】
また、上記実施の形態では、第２熱電対ＴＣ２の感熱部Ｑ２表面の付着物を除去するものを説明したが、第１熱電対ＴＣ１に対して上記清掃機構部１５と同様の清掃機構部を設け、その感熱部Ｑ１表面の付着物を除去する構成にしたものであっても良い。
【００８２】
このものでは、出湯ボタン１６Ａのオンオフ操作をする度に、自動的に第１熱電対ＴＣ１の感熱部Ｑ１表面の付着物がブラシ部Ｗによって掃き落とされて、常に清潔な状態に維持されるから、第１熱電対ＴＣ１の感度を低下させない。従って、不完全燃焼防止機能の安定性を維持できる。
即ち、室内の換気が不十分で燃焼排気通路１３内の酸素濃度が低下した場合は、その兆候を正確に認識し、速やかに安全状態を確保できる。
【図面の簡単な説明】
【００８３】
【図１】本発明の実施の形態に係るガス湯沸器１の概略構成図
【図２】本発明の実施の形態に係るガス湯沸器１の第２熱電対ＴＣ２近傍の縦断面概略図
【図３】本発明の実施の形態に係るガス湯沸器１の清掃機構部１５の概略構成図
【図４】本発明の他の実施形態における清掃機構部２５の概略構成図
【図５】本発明の他の実施形態における清掃機構部３５の概略構成図
【図６】本発明の他の実施形態における清掃機構部４５の概略構成図
【図７】本発明の他の実施形態における清掃機構部５５の概略構成図
【図８】本発明の他の実施形態における第２熱電対ＴＣ２近傍の横断面概略図
【図９】従来のガス湯沸器として例示する湯沸器９の概略構成図
【符号の説明】
【００８４】
１・・・ガス湯沸器
１１・・・ガスバーナ
１１０・・・炎孔
１２・・・熱交換器
１３・・・燃焼排気通路
１３０・・・側壁
１３１・・・検熱孔
１５・・・清掃手段
１６Ａ・・・器具操作部
ＴＣ１・・・第１熱電対
ＴＣ２・・・第２熱電対
【図１】
2008051429.tif 000003
【図２】
2008051429.tif 000004
【図３】
2008051429.tif 000005
【図４】
2008051429.tif 000006
【図５】
2008051429.tif 000007
【図６】
2008051429.tif 000008
【図７】
2008051429.tif 000009
【図８】
2008051429.tif 000010
【図９】
2008051429.tif 000011